(57)【要約】【課題】無線システムの制御情報を効果的かつ効率的に提供する。【解決手段】サブフレーム、フレーム又はスーパー・フレームなどの所与のフレーム構造内に与えられる制御情報のタイプ、又は相対位置を識別するためにブロードキャスト・ポインタ・チャネル（ＢＰＣＨ）を使用することができる。サブフレーム（あるいはフレーム又はスーパー・フレームなどの同様なフレーミング・エンティティ）は、ＢＰＣＨと制御情報が常駐し得る対応するシステム制御情報セグメントとを有することができる。システム制御情報セグメントは、任意の数の制御情報ブロックを有することができ、存在するそれぞれの制御情報ブロックは特定のタイプの制御情報に対応することができる。ＢＰＣＨは、対応するシステム制御情報セグメント内に存在する制御情報のタイプ、及び必要な場合あるいは所望される場合に様々な制御情報の相対位置を識別するために用いられる。【選択図】図４Ａ
2014033471.tif 000002
【特許請求の範囲】
【請求項１】
ネットワークにサービスを提供する基地局であって、
・複数の移動局との無線通信を促進するための受信機、送信機およびベースバンド・プロセッサと、
・前記受信機、送信機およびベースバンド・プロセッサに関連する制御システムであって、
・イベントを検出し、
・前記イベントを検出すると、前記基地局との通信を促進するために、前記複数の移動局によって使用される全システム静的制御情報を、前記複数の移動局へブロード・キャストする
ように構成された制御システムと、
を備える、基地局。
【請求項２】
前記イベントは、前記複数の移動局のうちの第１の移動局による、前記基地局経由で前記ネットワークに加わるための試みである、請求項１に記載の基地局。
【請求項３】
前記全システム静的制御情報は、前記基地局との通信を促進するために初期システム・アクセスに対して前記第１の移動局が必要とする必須の物理レイヤ情報である、請求項２に記載の基地局。
【請求項４】
前記制御システムは、
前記第１の移動局が、ネットワーク・エントリのための初期システム・アクセスを実行したことを確認し、
メディア・アクセス制御または他の上位レイヤ設定情報を提供する、追加の静的全システム制御情報を、前記第１の移動局に送信するようにさらに構成される、請求項３に記載の基地局。
【請求項５】
前記追加の全システム静的制御情報が、ネットワーク・エントリのための初期システム・アクセスに必要でない、請求項４に記載の基地局。
【請求項６】
前記追加の静的全システム制御情報が、前記第１の移動局へユニキャストされる、請求項４に記載の基地局。
【請求項７】
前記制御システムはさらに、前記第１の移動局がネットワークに加わる前に、前記複数の移動局に対し、アップリンク・レンジングまたはランダム・アクセス情報をブロード・キャストするよう構成され、前記アップリンク・レンジングまたはランダム・アクセス情報は、前記基地局とのアップリンク・レンジングまたはランダム・アクセス手続を開始するために前記第１の移動局によって使用される、請求項１に記載の基地局。
【請求項８】
前記イベントが、前記複数の移動局のうちの少なくとも１つがとる行動に基づく、請求項１に記載の基地局。
【請求項９】
ネットワークにサービスを提供する基地局であって、
・複数の移動局との無線通信を促進するための受信機、送信機およびベースバンド・プロセッサと、
・前記受信機、送信機およびベースバンド・プロセッサに関連する制御システムであって、
・前記複数の移動局にブロード・キャストされる複数のフレーム・エンティティのうちの少なくともあるエンティティについての制御情報を決定し、
・前記複数のフレーム・エンティティを生成および送信し、各フレーム・エンティティは、制御セグメントおよびトラフィック・セグメントを含み、前記複数のフレーム・エンティティのうちの前記少なくともあるエンティティはそれぞれさらに、ブロードキャスト・ポインタ・チャネルおよび制御情報セグメントを含み、前記ブロードキャスト・ポインタ・チャネルは、前記制御情報セグメント内に提供されている制御情報のタイプを識別し、それにより、前記複数のフレーム・エンティティのうちの前記少なくともあるエンティティの別々の内に提供される前記制御情報が可変であり、前記ブロードキャスト・ポインタ・チャネル内で識別されるように構成された制御システムと、
を備える、基地局。
【請求項１０】
前記制御情報が、前記複数のフレーム・エンティティのうちの少なくとも１つに対して決定されず、前記複数のフレーム・エンティティのうちの前記少なくとも１つがブロードキャスト・ポインタ・チャネルまたは前記制御情報セグメントを含まない、請求項９に記載の基地局。
【請求項１１】
前記複数のフレーム・エンティティのそれぞれに対する前記制御セグメントが、前記トラフィック・セグメント内のリソース割り当てに関係する第１の情報と、前記複数のフレーム・エンティティのうちの前記少なくともある特定のエンティティの中に前記ブロードキャスト・ポインタ・チャネルが存在することあるいは前記複数のフレーム・エンティティのうちの前記少なくとも１つの中に前記ブロードキャスト・ポインタ・チャネルが存在しないことを示すフラグと、を含む、請求項１０に記載の基地局。
【請求項１２】
前記制御情報セグメントが、前記複数のフレーム・エンティティのうちの前記少なくとも１つの中に存在しない、請求項１１に記載の基地局。
【請求項１３】
前記複数のフレーム・エンティティのうちの１つ以上に提供される前記制御情報が、静的、準静的、動的のうちの１つとして分類され、少なくとも第１のフレーム・エンティティの前記制御情報セグメントが静的制御情報を含み、少なくとも第２のフレーム・エンティティの前記制御情報セグメントが準静的制御情報を含み、および、少なくとも第３のフレーム・エンティティの前記制御情報セグメントが動的制御情報を含む、請求項１０に記載の基地局。
【請求項１４】
前記複数のフレーム・エンティティがサブフレームである、請求項９に記載の基地局。
【請求項１５】
前記サブフレームが、ＩＥＥＥ  ８０２．１６ｍ標準で規定されるスーパー・フレーム構造の一部である、請求項１４に記載の基地局。
【請求項１６】
ネットワークにサービスを提供する基地局であって、
・複数の移動局との無線通信を促進するための受信機、送信機およびベースバンド・プロセッサと、
・前記受信機、送信機およびベースバンド・プロセッサに関連する制御システムであって、
・前記複数の移動局のうちの少なくとも１つに対して第１の制御情報を決定し、
・前記第１の制御情報を前記複数の移動局のうちの前記少なくとも１つに送信し、
・前記第１の制御情報が前記複数の移動局のうちの前記少なくとも１つによって使用されるべき場合は、前記複数の移動局のうちの前記少なくとも１つによって前記第１の制御情報が使用されるべきことを示すために前記第１の制御情報に対応する第１のバージョン番号を送信し、
・将来に使用を開始するために前記複数の移動局のうちの前記少なくとも１つに対し第２の制御情報を決定し、
・前記第２の制御情報と、前記第２の制御情報が送信されていることを示す警告フラグとを前記複数の移動局のうちの前記少なくとも１つに送信する
ように構成された制御システムと、
を備える、基地局。
【請求項１７】
前記制御システムはさらに、前記複数の移動局のうちの前記少なくとも１つによって前記第２の制御情報が使用されるべきことを示すために前記第２の制御情報に対応する第２バージョン番号を送信するように構成された、請求項１６に記載の基地局。
【請求項１８】
前記制御システムはさらに、前記複数の移動局のうちの前記少なくとも１つが前記第１の制御情報を使用している状況から前記第２の制御情報を使用している状況に切り替わるべき時に関係する活動時間を、前記第２の制御情報の送信に関連して送信するように構成された、請求項１６に記載の基地局。
【請求項１９】
ネットワークにサービスを提供する基地局を動作させる方法であって、
・イベントを検出するステップと、
・前記イベントを検出すると、前記基地局との通信を促進するために、前記複数の移動局によって使用される全システム静的制御情報を、前記複数の移動局へブロード・キャストするステップと、
を含む方法。
【請求項２０】
前記イベントが、前記複数の移動局の中の第１の移動局による、前記基地局経由で前記ネットワークに加わるための試みである、請求項１９に記載の方法。
【請求項２１】
前記全システム静的制御情報が、前記基地局との通信を促進するために初期システム・アクセスに対して前記第１の移動局が必要とする必須の物理レイヤ情報である、請求項２０に記載の方法。
【請求項２２】
・前記第１の移動局が、ネットワーク・エントリのための初期システム・アクセスを実行したことを確認するステップと、
・メディア・アクセス制御または他の上位レイヤ設定情報を提供する、追加の静的全システム制御情報を、前記第１の移動局に送信するするステップと、
をさらに含む、請求項２１に記載の方法。
【請求項２３】
前記追加の静的全システム制御情報が、ネットワーク・エントリのための初期システム・アクセスには必要でない、請求項２２に記載の方法。
【請求項２４】
前記追加の静的全システム制御情報が、前記第１の移動局へユニキャストされる、請求項２２に記載の方法。
【請求項２５】
前記第１の移動局がネットワークに加わる前に、前記複数の移動局に対し、アップリンク・レンジングまたはランダム・アクセス情報をブロード・キャストするステップをさらに備え、前記アップリンク・レンジングまたはランダム・アクセス情報は前記基地局とのアップリンク・レンジングまたはランダム・アクセス手続を開始するために前記第１の移動局によって使用される、請求項１９に記載の方法。
【請求項２６】
前記イベントが前記複数の移動局のうちの少なくとも１つがとる行動に基づく、請求項１９に記載の方法。
【発明の詳細な説明】
【技術分野】
【０００１】
本出願は、２００８年３月１０日に出願され、その開示全体が参照により本明細書に組み込まれている米国仮特許出願第６１／０３５，３６３号の利益を主張するものである。
【０００２】
本開示は、無線システムのための制御信号に関する方法に関連する。
【背景技術】
【０００３】
大半の無線通信システムにおいて、１つ以上の基地局は、無線インタフェースを介して任意の数の移動局との無線通信を促進する。複数の基地局と様々な移動局との間では、その間の通信を可能にするために大量の情報が交換されなければならない。この情報は一般的に制御情報と定義される。例示的な無線通信システムは、無線メトロポリタン・エリア・ネットワーク（ＭＡＮ）のための広帯域無線アクセス・ワーキンググループに定められた電気電子技術者協会（ＩＥＥＥ）８０２．１６標準で定義される。ＩＥＥＥ  ８０２．１６標準は、一般にＷｉＭＡＸと呼ばれ、これはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表す。
【０００４】
ＩＥＥＥ  ８０２．１６標準のシステム要件は、ＩＥＥＥ  ８０２．１６ｍ標準で定められ、他の多くの無線通信システムと同様に、システム・アクセス、トラフィック・パケットの送受信およびある基地局から次へのハンドオーバーで使用される制御情報の多くは、当該複数の移動局が実際にその情報の受信する必要があるかどうかにかかわらず、大量に送信および再送信されることが多い。多くの場合、前記複数の移動局はスリープまたはアイドル・モードであり、あるいは既に制御情報を受信し保存している。従って、複数の移動局にとって必要でないかあるいは複数の移動局が既に受信した制御情報を過度に再送信することは、必要でないかあるいは既に持っている制御情報を受信し処理するために移動局が動作状態であり続けなければならないため、大幅に制御オーバーヘッドを高め、通信リソース通信資源を浪費し、出力効率を阻害する。
【０００５】
それゆえ、ＩＥＥＥ  ８０２．１６標準およびその他で規定されるものを含む無線通信環境において、効果的かつ効率的に、複数の移動局へ制御情報をより効率的に伝播するための技術が必要とされている。さらに、複数の移動局が、既に受信したあるいは動作と無関係な制御情報を受信し処理する必要性を削減しつつ、必要に応じて制御情報を効率的に取得することを確実にする技術も必要とされている。
【発明の概要】
【０００６】
制御情報を効果的かつ効率的に提供するため、サブフレーム、フレームあるいはスーパー・フレームなどの所与のフレーム構造内に与えられる制御情報のタイプ、場合によっては相対位置を識別するために、ブロードキャスト・ポインタ・チャネル（ＢＰＣＨ）を使用することができる。サブフレーム（あるいはフレームまたはスーパー・フレームなどの同様なフレーミング・エンティティ）は、ＢＰＣＨと制御情報が常駐し得る対応するシステム制御情報セグメントとを有することができる。システム制御情報セグメントは、任意の数の制御情報ブロックを有することができ、存在するそれぞれの制御情報ブロックは特定のタイプの制御情報に対応することができる。ＢＰＣＨは、対応するシステム制御情報セグメント内に存在する制御情報のタイプ、および、必要な場合あるいは所望される場合には様々な制御情報の相対位置を識別するために用いられる。
【０００７】
たとえば、ＢＰＣＨは異なるタイプの制御情報に対し、プレゼンス・フラグを含むことができ、このプレゼンス・フラグは、対応する制御情報がシステム制御情報セグメント内に存在するかあるいは存在しないかに応じて設定される。あるフレームに対するシステム制御情報セグメントが、対応する制御情報ブロック内にある特定の制御情報を含む場合、ＢＰＣＨは、制御情報の存在を示すように設定されたこの制御情報に対応するフラグをすることができ、一方で、他のタイプの制御情報に対応する他のフラグは他の制御情報タイプが存在しないことを示すよう設定される。また、ＢＰＣＨは、移動局がシステム制御情報セグメント内の制御情報の正確な位置が判定できるように、システム制御情報セグメントの中の対応する制御情報ブロックの位置、長さなどを提供することができる。各制御情報ブロックは、ある異なるタイプの制御情報あるいは複数の制御情報タイプからなるグループに対応することができる。
【０００８】
複数の移動局は、サブフレーム中にどのような制御情報が存在するか、存在する制御情報が関連しているか、ならびに、サブフレーム中の任意またはすべての制御情報の位置を、素早くかつ効率的に判定することができる。従って、移動局は、無関係な制御情報をデコードすることを回避することができる。実際には、これは、移動局が、サブフレームが関連する制御情報を含むかどうかを判定すると、制御情報に関連するサブフレームの残りあるいはそのサブフレームの少なくとも一部をデコードする必要性を素早く評価できることを意味する。
【０００９】
当業者は、以下の詳細な説明を添付の図面と関連させて読むことで本発明の範囲を理解し、そのさらなる態様を理解するであろう。
【００１０】
本明細書に組み込まれ、その一部を形成する添付の図面は、本発明の複数の態様を示すものであり、説明と共に本発明の原理を説明するのに役立つものである。
【図面の簡単な説明】
【００１１】
【図１】本開示の１つの実施形態による通信環境のブロック図。
【図２】本開示の１つの実施形態による基地局のブロック図。
【図３】本開示の１つの実施形態による移動局のブロック図。
【図４Ａ】本開示の１つの実施形態によるサブフレーム設定を示す図。
【図４Ｂ】本開示の１つの実施形態によるサブフレーム設定を示す図。
【図５Ａ】本開示の第２の実施形態によるサブフレーム設定を示す図。
【図５Ｂ】本開示の第２の実施形態によるサブフレーム設定を示す図。
【発明を実施するための形態】
【００１２】
以下で説明される実施形態は、当業者が本発明を実施できるようにするために必要な情報を提示し、本発明を実施する最良の形態を示す。添付の図面を照らし合わせながら以下の説明を読むことで、当業者は本発明の概念を理解し、本明細書で具体的には言及されていないこれらの概念の応用を認識するであろう。当然のことながら、これらの概念および応用は、本開示および添付の特許請求の範囲に含まれる。
【００１３】
本発明の詳細を掘り下げる前に、本発明が使用され得る例示的な通信環境の概要を述べる。図１を特に参照すると、基地局制御装置（ＢＳＣ）１０が複数のセル１２にサービスを提供するセルラーネットワークの一部が示される。セル１２のそれぞれは、ＢＳＣ  １０の制御下で動作している特定の基地局（ＢＳ）１４のプライマリ・カバレッジ・エリアを表している。複数の基地局１４は、複数の基地局１４の通信範囲内、すなわち対応するセル１２の中にある移動局（ＭＳ）１６との双方向通信を、任意の数の通信技術を通じて促進することができる。セルラーネットワークを介した通信は、音声、データおよびメディア通信をサポートすることができる。
【００１４】
図２を特に参照すると、本開示の１つの実施形態に従って構成された基地局１４が示されている。なお、基地局１４は、直交周波数分割多元接続（ＯＦＤＭＡ）、符号分割多元接続（ＣＤＭＡ）および時分割多元接続（ＴＤＭＡ）を使用する従来のセルラー技術ならびにローカル無線技術のような、任意の種類の無線通信技術をサポートすることができる。それらに限定されることはないが、本発明の概念は無線メトロポリタン・エリア・ネットワーク（ＭＡＮ）のための広帯域無線アクセス・ワーキンググループに定められたＩＥＥＥ  ８０２．１６標準、具体的にはＩＥＥＥ  ８０２．１６ｍのセクションで規定されたＩＥＥＥ  ８０２．１６標準に対するシステム要件に適用可能である。この一連の標準は、全体として参照により本明細書に組み込まれる。とりわけ、ＩＥＥＥ  ８０２．１６ファミリーの標準によって定義された技術はしばしば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）と呼ばれる。
【００１５】
それゆえに、基地局１４は、無線通信をサポートする任意の無線アクセスポイントとして機能する。基地局１４は、ユニキャスト通信、マルチキャスト通信およびブロード・キャスト通信をサポートし、それらをイネーブルしかつ制御するために必要な制御信号を生じることができるのが好ましい。基地局１４は一般に、制御システム２０、ベースバンド・プロセッサ２２、送信回路構成２４、受信回路構成２６、１つ以上のアンテナ２８およびネットワーク・インターフェース３０を含む。受信回路構成２６は、複数の移動局１６によって提供される１つ以上のリモート・トランスミッタからの情報を搬送する無線周波数信号を受信する。処理するために信号からの広帯域干渉を増幅および除去するために、低雑音増幅器とフィルタ（図示せず）が協働することが好ましい。ダウンコンバージョンおよびデジタル化回路（図示せず）は次いで、フィルタリングされた受信信号を中間あるいはベースバンド周波数信号にダウンコンバートし、ダウンコンバートされた受信信号は次いで、１つ以上のデジタル・ストリームへとデジタル化される。
【００１６】
ベースバンド・プロセッサ２２は、受信信号内で搬送された情報またはデータ・ビットを抽出するために、デジタル化された受信信号を処理する。この処理には典型的に、復調動作、デコード動作およびエラー訂正動作が含まれる。従って、ベースバンド・プロセッサ２２は、１つ以上のデジタル信号プロセッサ（ＤＳＰ）に実装さているのが一般的である。受信された情報は次いで、ネットワーク・インターフェース３０を介してコア・ネットワークへと送られる、または、基地局１４によりサービスが提供される別の移動局１６に送信される。ネットワーク・インターフェース３０は、典型的には、基地局制御装置１０を介してコア・ネットワークと対話する。
【００１７】
送信側では、ベースバンド・プロセッサ２２が、制御システム２０の制御下でネットワーク・インターフェース３０から、音声、データまたは制御情報とすることができるデジタル化されたデータを受信する。ベースバンド・プロセッサは、送信のためにそのデータをエンコードする。エンコードされたデータは、送信回路構成２４に出力され、そこで、このエンコードされたデータを変調器が使用して、所望の１つまたは複数の送信周波数のキャリア信号を変調する。出力増幅器（図示せず）は、変調されたキャリア信号を送信に適したレベルまで増幅し、変調されたキャリア信号を、整合ネットワークを経由して１つ以上のアンテナ２８に伝達する。
【００１８】
図３を参照すると、本開示の１つの実施形態に従って構成された移動局１６が図示されている。移動局１６は、複数の基地局１４に適合する通信技術をサポートする。移動局１６は、制御システム３２、ベースバンド・プロセッサ３４、送信回路構成３６、受信回路構成３８、１つ以上のアンテナ４０およびユーザー・インタフェース回路４２を含む。制御システム３２は、動作のために必要な必須ソフトウェアおよびデータを格納するためのメモリ４４を有する。受信回路構成３８は、複数の基地局１４によって提供される１つ以上のリモート・トランスミッタからの情報を搬送するラジオ周波数信号を受信する。処理するために信号からの広帯域干渉を増幅および除去するために、低雑音増幅器とフィルタ（図示せず）が協働することが好ましい。ダウンコンバージョンおよびデジタル化回路（図示せず）は次いで、フィルタリングされた受信信号を中間あるいはベースバンド周波数信号にダウンコンバートし、ダウンコンバートされた受信信号は次いで１つ以上のデジタル・ストリームへとデジタル化される。ベースバンド・プロセッサ３４は、受信信号内で搬送された情報またはデータ・ビットを抽出するために、デジタル化された受信信号を処理する。この処理には典型的には、復調動作、デコード動作およびエラー訂正動作が含まれる。ベースバンド・プロセッサ３４は、１つ以上のデジタル信号プロセッサ（ＤＳＰ）に実装されるのが一般的である。
【００１９】
送信のために、ベースバンド・プロセッサ３４は制御システム３２から、音声、データ、メディアまたは制御情報などを表すデジタル化されたデータを受信し、ベースバンド・プロセッサ３４は送信のためにそのデータをエンコードする。エンコードされたデータは、送信回路構成３６に出力され、そこでこのエンコードされたデータを変調器が使用して、所望の１つまたは複数の送信周波数のキャリア信号を変調する。出力増幅器（図示せず）は、変調されたキャリア信号を送信に適したレベルまで増幅し、変調されたキャリア信号を、整合ネットワークを経由して１つ以上のアンテナ４０に伝達する。当業者が利用可能な様々な変調技術および処理技術が、本発明に適用できる。
【００２０】
システム全体の動作をサポートするために複数の基地局１４と複数の移動局１６の間で必ず発生する制御信号を強化する様々な技法が本明細書に開示される。これらの技法は、単独であるいは組み合わせて、複数の移動局１６および複数の基地局１４において制御オーバーヘッドを低減し、電力を節約し、処理要件低減させ、より高速なネットワーク・エントリを可能にし、ネットワーク・リソースを節約し、あるいはそれらを任意に組み合わせて行うことができる。制御信号により、複数の基地局１４および複数の移動局１６は、重要な情報および動作命令（これらを制御情報と呼ぶ）を交換するために互いに通信できるようになる。一般に基地局１４が通信を制御しているため、制御情報の大部分は複数の基地局１４により複数の移動局１６に伝播される。制御情報は、システム・アクセス、トラフィック・パケットの送受信、ハンドオーバーなどを制御するために使用することができる。
【００２１】
制御情報の性質は変化するので、異なるタイプの制御情報は異なる特性を有する。たとえば、異なるタイプの制御情報は、変更の頻度、それがユニキャスト、マルチキャストまたはブロード・キャストであるかどうか、どの程度頑強でなければならないか、システム・アクセスへの重要性などの観点から、変化することができる。したがって、異なるタイプの制御情報は異なる扱いを受けることができる。以下の説明は、様々なタイプの制御情報を分類したものであり、情報がどのように分類されるか基づいて、適切に制御情報の伝達が達成される。
【００２２】
現在の技術水準の観点から、かつ、その非効率性を強調するために、スケジューリング制御を参照し、システム情報が現在はＩＥＥＥ  ８０２．１６ｅ標準で提供される。ＩＥＥＥ  ８０２．１６ｅ標準によると、システム情報は別々のアップリンク・チャネルまたはダウンリンク・チャネルで対し、スケジューリング情報はＭＡＰメッセージで送信される。それに加えて、隣接する基地局の情報およびページング情報は、さらに別のメッセージでブロード・キャストされる。この情報のほとんどとは言わないまでも多くは、実際に必要とされるかどうかにかかわらず、定期的に再送信される。たとえば、時空符号化情報、レンジング領域情報および高速フィードバック・レンジング定義などのＭＡＰメッセージで提供される情報のいくつかは、必ずしも動的ではなく、したがってオーバーヘッドを低減するためにより少ない頻度で送信することが可能である。  アップリンク・チャネルおよびダウンリンク・チャネルで与えられる情報のうちいくつかは静的であり、したがって複数の基地局１４により、既にネットワークに加わっている複数の移動局１６に周期的にブロード・キャストされる必要がなく、あるいは、非常に低減された速度でブロード・キャストされてもよい。そのような静的情報は、基地局識別子、オペレータ識別子、サブネット識別子および時分割複信比などを含むことができる。
【００２３】
アップリンク・チャネルおよびダウンリンク・チャネルで提供されるいくつかの情報は準静的であり、したがって、情報が変化していない場合は複数の基地局１４によって複数の移動局１６へ定期的にブロード・キャストされる必要がなく、非常に低減された速度でブロード・キャストされてもよく、あるいは、情報が変化した時にブロード・キャストされてもよい。そのような情報は、バースト・プロファイルおよびハンドオーバー・パラメータを含むことができる。同様に、隣接する複数の基地局に関する情報は、一般的には準静的であり、情報が変化していないと仮定すると、既にネットワークに加わっている複数の移動局１６に周期的にブロード・キャストされる必要はない。上記より、制御情報を提供あるいは更新する必要性は変化することが理解できよう。制御情報の中には絶えず変化するものもある一方で、他の制御情報は変化するとしても周期的にしか変化できない。
【００２４】
一例として、制御情報は、相対的に静的、準静的または動的であるものとして分類できる。静的な制御情報は、相対的に一定である。準静的な制御情報は、周期的にあるいは規定されたイベントに応答して変化する。動的な制御情報は、相対的に連続して変化し得る情報である。
【００２５】
静的、準静的または動的であるかにかかわらず、制御情報は、典型的には、フレーミング構造内の規定された位置で伝達され、このフレーミング構造では、ある特定の情報が、フレームまたはフレームの群が送信されるたびにそのフレームまたはフレームの群内の何らかの位置に提供される。動的な制御情報を連続的に提供する必要があるかもしれないが、最後に送信してから変化していない静的あるいは準静的制御情報を連続的に再送信するのは、処理およびリソースの観点から見て大変非効率的である。
【００２６】
本発明では、効率を向上させるために、異なるタイプの制御情報を、異なる時間に送信することができる。たとえば、静的全システム情報を基地局１４に送信させることによって、制御シグナリングのオーバーヘッドを低減することができるが、この静的全システム情報は、移動局１６がネットワークに加わろうと試みていることを基地局１４が検出することに応答して、初期システム・アクセス手続を実行するために移動局１６が必要とする必須の物理レイヤ設定情報を提供する。  これは、基地局１４が、ネットワーク・イベントまたは状況にかかわらず、各フレームまたはサブフレームでそのような情報を送信することとは対照的である。  物理レイヤ設定情報は、基地局１４によってサポートされるネットワークへのネットワーク・エントリのために基地局１４との通信を確立するために移動局１６によって使用される。  移動局１６が物理レイヤ設定情報を用いて初期システム・アクセスを実施した後に、基地局１４は、マシン・アクセス・コード（ＭＡＣ）または他の上位レイヤ設定情報を提供する静的全システム情報を送信することができる。上位レイヤ設定情報は、初期システム・アクセスには必要ではなく、システム全体の効率をさらに向上させるために適当な移動局１６へのユニキャストとすることができる。
【００２７】
上記の文脈において、基地局１４は、アップリンク・レンジング（またはランダム・アクセス）手続を開始するときに使用する、ネットワークに加わる移動局１６のためのアップリンク・レンジング（またはランダム・アクセス）情報をブロード・キャストすることができる。ネットワークに加わる移動端末１６は、アップリンク・レンジング（またはランダム・アクセス）情報を受信し、その情報を使用してネットワークへのエントリを取得するために必要なアップリンク・レンジング手続を開始するが、この手続は当技術分野で知られるようなアップリンク・レンジングまたはランダム・アクセス情報に基づいてアップリンク送信を伴う。
【００２８】
ＩＥＥＥ  ８０２．１６ｍ標準において、フレーミング構造は以下の通りである。スーパー・フレームは、４つのフレームを含み、２０ミリ秒ごとに送信される。各フレームは、８つのサブフレームを有し、５ミリ秒ごとに送信される。各サブフレームは、一般には５、６または７つのＯＦＤＭシンボルに対応する。
【００２９】
異なるタイプの制御情報の７つの異なる分類への分割、および対応する分類に基づく制御情報の伝播を制御する例示的な方法が以下に提供される。様々なタイプの制御情報の伝達は、適当なイベント、状況またはスケジューリング基準に基づくことができる。以下の例では、ＩＥＥＥ  ８０２．１６ｍフレーミング構造が使用されるが、当業者はこれらの概念が異なる種類のフレーミング構造に適用できることを理解するであろう。
【００３０】
タイプ１制御情報は、静的であるとみなされ、基地局１４から受信される複数のダウンリンク物理レイヤ・フレーム／サブフレームをデコードするために移動局１６が使用する必須の全システム物理レイヤ情報に対応する。例示的な制御情報には、帯域幅設定情報、ＣＰサイズ、マルチ・キャリア設定情報、システム時間、時分割複信（ＴＤＤ）比情報、ガード・トーンなどが含まれる。タイプ１制御情報は、一般的には、ネットワーク・エントリ中の高速初期アクセスのために必要とされる静的な全システム展開特定パラメータを含む。複数の移動局１６は、サービスを提供する１つまたは複数の基地局１４との同期の後で、タイプ１情報をデコードできなければならない。このタイプ１制御情報は、非常に高い信頼性で伝達されなければならず、かつ、周期的にまたは初期レンジング・イベントに関連して、ブロード・キャストされ得る。周期的にブロード・キャストされる場合には、この情報をスーパー・フレーム内の規定されたリソース・ロケーションに搬送しなければならない。初期レンジング・イベントに関連してブロード・キャストされる場合には、制御情報が存在するかあるいは存在しないかを、以下にさらに詳細に説明されるブロードキャスト・ポインタ・チャネル（ＢＰＣＨ）によってシグナリングする。
【００３１】
タイプ２制御情報は、擬似動的（つまり積極的に準静的）であるとみなされ、１つのスーパー・フレームから別のスーパー・フレームに変更することができるが、１つのサブフレームから別のサブフレームに変更できず、あるいは、スーパー・フレームのいずれかまたはサブフレームに提供されることさえできない。このタイプ２情報は、複数のダウンリンク物理レイヤ・フレーム／サブフレームをデコードするために移動局１６が使用する必須の全セクタ物理レイヤ情報に対応する。タイプ２情報は、チャネル化情報、レガシーおよび８０２．１６ｍリソース・パーティション情報、サブフレーム制御設定情報、スーパー・フレーム設定制御情報などを含むことができる。チャネル化情報は、ダイバーシチ・ゾーン、ローカライズされたゾーンおよび情報、パイロット構造および情報などのパーティションに関連することができる。また、このタイプ２情報は、複数の移動局１６が、ＩＥＥＥ  ８０２．１６標準に規定される高速初期アクセス手続を促進できるようにする初期レンジング領域またはコード情報を含むことができる。タイプ２制御情報が、一般的には、ネットワーク・エントリ中の高速初期アクセスおよびハンドオーバーに必要とされるので、移動局１６は、タイプ１情報の同期および受信の後に、このタイプ２情報をデコードすることができなければならない。示されるように、タイプ１情報は、１つのスーパー・フレームから別のスーパー・フレームに変更する可能性があり得、したがって、スーパー・フレーム内の規定されたリソース・ロケーションで、または、スーパー・フレームの境界で、スーパー・フレーム毎に周期的にブロード・キャストされなければならないが、この規定されたリソース・ロケーションは、複数の移動局１６には知られている。タイプ１情報と同様に、タイプ２情報は、非常に高い信頼性で伝達されなければならない。
【００３２】
タイプ３制御情報は、静的であるとみなされ、基地局識別子、オペレータ識別子、サブネット識別子などのような非物理レイヤ・システム情報に対応する。この制御情報は、複数の移動局１６に周期的にブロード・キャストされなくてもよく、初期ネットワーク・エントリ手続中に複数の移動局１６にユニキャストすることができる。さらに、この情報は、スーパー・フレーム、フレームまたはサブフレーム内の規定されたリソース・ロケーションに提供されなくてもよい。
【００３３】
タイプ４制御情報は、ハンドオーバー・パラメータ、電力制御パラメータ、高速フィードバック領域情報、レンジング領域情報などのような準静的な物理レイヤまたはＭＡＣレイヤ設定情報である。変更しつづけ、１００ミリ秒未満の周期で更新する必要がある動的制御情報とは反対に、タイプ４制御情報は、秒、分または時間のオーダで比較的ゆっくりと変更することができる。ネットワークに既に加入している複数の移動局１６については、タイプ４情報が変更されていないと仮定して、タイプ４情報を頻繁にブロード・キャストする必要はない。制御チャネルの設計は、移動局１６がシステム設定内の任意の変更を適時に確実に受信しながら、移動局１６に関するスリープ・モードおよびアイドリング・モードのために効率的な電力節約をサポートしなければならない。初期ネットワーク・エントリを実行している複数の移動局１６については、基地局１４が特定の移動局１６とともに初期レンジング手続を既に完了した後に、ネットワーク・エントリを促進するために、ネットワーク・エントリ中にタイプ４情報をユニキャスト・メッセージとして各移動局１６に送信することができる。
【００３４】
タイプ５制御情報は、サービスを提供する基地局１４に対して隣接する複数の基地局１４の情報に関連し、またはそれらの隣接する複数の基地局１４に関連する情報に関連する。タイプ５情報は、タイプ３情報に対応する静的情報またはタイプ４情報に対応する準静的情報を含むことができる。タイプ５制御情報は、周期的にまたはイベントに応答して、ブロード・キャストされてもよい。また、タイプ５制御情報は、移動局１６に現在サービスを提供している基地局１４のアクティブ・セットに、隣接する基地局１４を加えたいと望む任意の移動局１６にユニキャストしてもよい。
【００３５】
タイプ６制御情報は、イベントによって駆動されることができる準静的なページング情報である。クイック・ページング情報か通常のページング情報かにかかわらず、タイプ６制御情報は、一般には周期的でなく、ページングすべき移動局１６が１つ以上存在する場合はいつでも、通常はネットワークに加入する少なくとも１つの移動局１６と関連付けて、ブロード・キャストされなければならない。
【００３６】
タイプ７制御情報は動的であり、ダウンリンクおよびアップリンクのリソース割当ならびにＭＣＳ、マルチ入力マルチ出力（ＭＩＭＯ）モード、ユーザ識別子、リソース割当などのようなトラフィック・バースト割当情報に関連する。また、タイプ７制御情報は、アップリンク・トラフィックの肯定応答（ＡＣＫ）および否定応答（ＮＡＫ）、ならびにアップリンク・トラフィックに関する電力制御情報を包含することができる。このタイプ７制御情報は、各サブフレームを変更することができ、あるトラフィック・バーストがユニキャストされる場合には、移動局１６へユニキャストすることができ、あるいは、トラフィック・バーストがマルチキャスト／ブロード・キャストされる場合には、複数の移動局１６からなるグループへマルチキャスト／ブロード・キャストすることができる。基地局１４によってサービスが提供されている１つ以上の移動局１６に関するリソース・ロケーション情報は、複数の移動局１６からなる前記グループへマルチキャストすることができる。
【００３７】
制御情報を効果的かつ効率的に提供するためには、ブロードキャスト・ポインタ・チャネル（ＢＰＣＨ）は、サブフレーム、フレームまたはスーパー・フレームのような所与のフレーム構造内に提供されている制御情報のタイプ、ならびに、おそらくは相対的な位置を識別するために使用される。動作時に、基地局１４は、連続して、各サブフレーム内に提供すべき制御情報を識別し、複数のサブフレームを生成し、前記複数のサブフレームを送信する。たとえば、ＩＥＥＥ  ８０２．１６ｍフレーム構造内のサブフレームまたはスーパー・フレーム境界内に任意の１つ以上の制御情報タイプ１、３、４、５および６に対応する制御情報が存在できると仮定する。従って、タイプ３制御情報およびタイプ４制御情報を第１のサブフレーム内に提供することができ、一方、タイプ１制御情報を、タイプ３制御情報およびタイプ４制御情報を含まない可能性がある後続のサブフレーム内に提供することができる。１つの構成では、タイプ２情報およびタイプ７情報は、ＢＰＣＨによって識別されない。
【００３８】
サブフレーム（あるいはフレームまたはスーパー・フレームのような同様のフレーミング・エンティティ）は、ＢＰＣＨと制御情報がその中に常駐し得る対応するシステム制御情報セグメントとを有することができる。上述のように、各サブフレームがＢＰＣＨを有する必要はなく、システム制御情報セグメント内に提供される制御情報は変更できる。システム制御情報セグメントは、任意の数の制御情報ブロックを有することができ、存在するそれぞれの制御情報ブロックは、特定のタイプの制御情報に対応することができる。ＢＰＣＨは、対応するシステム制御情報セグメント内に存在する制御情報のタイプ、および、必要な場合あるいは所望される場合には異なる制御情報の相対的な位置を識別するために用いられる。たとえば、ＢＰＣＨは異なるタイプの制御情報に対し、プレゼンス・フラグを含むことができ、このプレゼンス・フラグは、前記システム制御情報セグメント内に対応する制御情報が存在するかあるいは存在しないかに応じて設定される。あるフレームに対する制御情報セグメントが、対応する複数の制御情報ブロック内にあるタイプ３制御情報、タイプ４制御情報およびタイプ５制御情報を含む場合、ＢＰＣＨは、タイプ３制御情報、タイプ４制御情報およびタイプ５制御情報の存在を示すように設定されたそれらの情報に対応するフラグを有することができ、一方で、他のタイプの制御情報に対応するその他のフラグは、他の情報タイプが存在しないことを示すように設定される。また、ＢＰＣＨは、移動局１６がシステム制御情報セグメント内の制御情報の正確な位置が判定できるように、前記システム制御情報セグメントの中の対応する複数の制御情報ブロックの位置、長さ、などを提供することができる。各制御情報ブロックは、ある異なるタイプの制御情報あるいは複数の制御情報タイプからなるグループに対応することができる。
【００３９】
この構成を用いると、複数の移動局１６は、サブフレーム中にどのような制御情報が存在するか、存在する制御情報が関連しているかどうか、ならびに、前記サブフレーム中の任意またはすべての制御情報の位置を素早くかつ効率的に判定することができる。従って、移動局１６は、無関係な制御情報をデコードすることを回避することができる。実際には、これは、移動局１６が、サブフレームが関連する制御情報を含むかどうかを判定すると、制御情報に関連するサブフレームの残りあるいはそのサブフレームの少なくとも一部をデコードする必要性を素早く評価できることを意味する。
【００４０】
関連する制御情報がサブフレームにおいて存在するか、および、関連するかどうかを効率的に判定する能力は、移動局１６が、アクティブでなく、スリープ・モードまたはアイドル・モードにある場合に、特に有益である。これは、ＢＰＣＨを監視することによって達成できる。これらのモードでは、移動局１６は、音声、データまたはメディア通信のサポートにアクティブには従事しないが、関連する制御情報を取得し、または調べるために周期的に起動する。監視されているサブフレーム内のＢＰＣＨが、制御情報が１つも存在しないこと、あるいは、制御情報は存在するがこの特定の移動局１６に関連するものではないことを示す場合、移動局１６は、存在するが関連性のない任意の制御情報、ならびにこのサブフレームの他の部分で提供することができる任意のリソースおよび割当情報（タイプ７）を含む、サブフレームの残りの部分をデコードする必要なしに、素早くスリープ・モードまたはアイドル・モードに戻ることができる。移動局１６がスリープ・モードまたはアイドル・モードにより早く戻ると、より多くの電力が節約される。
【００４１】
サブフレーム内のＢＰＣＨが、前記制御情報が存在することを示し、かつ、移動局１６が、存在する制御情報がその移動局１６に関連すると判定する場合には、移動局１６は前記制御情報をデコードすることができる。ある特定の構成では、移動局１６は、関連するその制御情報のみを選択的にデコードすることができるので、システム制御情報セグメントが関連する制御情報と関連しない制御情報の両方を有する場合には、移動局１６が、関連しない制御情報をデコードすることなく関連する制御情報をデコードすることができるだけでなく、サブフレームの他の部分に提供することができる任意のリソースおよび割当情報（タイプ７）をデコードすることができるようになる。関連しない制御情報をデコードする必要性をなくすことによって、移動局１６は、電力をさらに節約できる。また、異なる複数のタイプの制御情報が、割り当てられた制御情報ブロック内かその他の場所かにかかわらず存在する場合にも、ＢＰＣＨは、関連する制御情報の位置を移動局１６に判定させて、関連しない制御情報をデコードする必要性を回避するために、十分な情報を提供することができる。従って、移動局１６は、サブフレーム内に存在する任意の制御情報のすべてまたは一部を、ＢＰＣＨに基づいて選択的にデコードすることができる。すべてのサブフレームが、システム制御情報セグメント内において、特定のタイプの制御情報はもちろん、制御情報を有する必要があるわけではないことが重要である。
【００４２】
制御情報の場合と同様に、ＢＰＣＨは、それぞれのサブフレーム内に存在しても、しなくてもよい。以下の例は、ＢＰＣＨの存在を検出するための２つの構成を示している。第１の構成について、図４Ａおよび４Ｂを参照する。この構成では、サブフレームは、トラフィック・バーストのために、制御セグメント、任意選択のＢＰＣＨセグメント、任意選択のシステム制御情報セグメントおよび、トラフィック・セグメントを含む。前記制御セグメントは、トラフィック・バーストのためのサブフレーム内のリソースのパーティションに関連する情報を含むことができる。前記制御セグメントは、移動局１６に知られる規定された長さおよび位置のものとすることができる。前記制御セグメントは、既知の方法でエンコードおよび変調される。前記トラフィック・セグメントは、トラフィック・バーストのために、リソースの割り当てを定義する情報を担持する。
【００４３】
ＢＰＣＨ存在フラグは、ＢＰＣＨが存在するかあるいは存在しないかを、おそらくは、存在する場合には、前記システム制御情報セグメントで後に続く制御情報のタイプおよび位置を示すために、前記サブフレームの制御セグメントに加えられる。存在する場合には、ＢＰＣＨは、移動局１６に知られる規定された長さおよび位置のものとすることができる。また、ＢＰＣＨは、既知の方法でエンコードまたは変調されることができる。動作時に、移動局１６は、以下のようにサブフレームを処理する。最初に、移動局１６は、前記制御セグメントをデコードし、前記ＢＰＣＨ存在フラグを分析して、前記サブフレームがＢＰＣＨを含むかどうかを判定する。図４Ａのように、ＢＰＣＨがサブフレーム内に存在することを前記ＢＰＣＨ存在フラグ（１）が示す場合、移動局１６は、前記システム制御情報セグメント内のすべての制御情報または任意の関連する制御情報をデコードできるように、ＢＰＣＨをデコードおよび処理する。任意の関連する制御情報は次いで、所望に応じて、移動局１６によって使用される。前記トラフィック・セグメント内の残りのリソースは、複数のトラフィック・バーストのためのものであり、前記制御セグメント内の情報に基づいてパーティションされる。移動局１６は、制御セグメント情報について従来の方法で前記複数のトラフィック・バーストを行う。
【００４４】
図４Ｂのように、ＢＰＣＨが前記サブフレーム内に存在しないことを前記存在フラグ（０）が示す場合、移動局１６は、ＢＰＣＨおよび関連するシステム制御情報セグメントが前記サブフレーム内に存在しないことがわかる。前記トラフィック・セグメント内の残りのリソースは、複数のトラフィック・バーストのためのものであり、前記制御セグメント内の情報に基づいてパーティションされる。移動局１６は、前記制御セグメント情報について従来の方法で前記複数のトラフィック・バーストを行う。
【００４５】
上述の構成では、ＢＰＣＨ存在フラグが、ＢＰＣＨ、したがって、システム制御情報セグメントが前記サブフレーム内に存在するかどうかを示すために、前記制御セグメントに提供される。図５Ａおよび５Ｂの構成では、ＢＰＣＨ存在フラグは１つも使用されない。
ＢＰＣＨが存在する場合は、このＢＰＣＨは前記サブフレーム内の規定された位置に提供され、規定された長さを有し、ならびに、規定された変調およびコーディング方式を備えられる（図５Ａ）。動作時に、移動局１６はまず、サブフレーム内のＢＰＣＨを発見することが予想される位置で、ＢＰＣＨをデコードしようと試みる。正常にデコードされた場合、上述にように、ＢＰＣＨに提供された情報により、移動局１６は、前記システム制御情報セグメントに提供されるすべてまたは関連する制御情報を識別およびデコードできるようになる。デコードが正常に行われない場合には、移動局１６は、ＢＰＣＨが存在しない、したがって、前記制御セグメントに提供された制御情報が１つもないと判定する（図５Ｂ）。移動局１６は次いで、前記サブフレームのトラフィック・セグメントに提供される前記制御セグメントおよび前記複数のトラフィック・バーストをデコードする処理に進む。
【００４６】
情報タイプ４および情報タイプ５、ならびに、おそらくは情報タイプ２のような準静的制御情報を用いると、基地局１４は、前記複数の移動局が変更または更新されていない制御情報をデコードする必要性を回避することによってさらなる電力の節約を可能にするために、いつ制御情報が変わったかについて、複数の移動局１６に知らせるステップを取ることができる。制御情報、バージョン情報および制御情報に対する作動時間を、同じまたは異なるメッセージで、同時にまたは別々に基地局１４から複数の移動局１６へと送信することができる。前記制御情報が更新されると、前記制御情報のそれぞれのバージョンを識別および追跡できるように、新しいバージョン番号が前記制御情報に割り当てられる。
本明細書では、バージョン番号をシステム設定変更カウント（ＳＣＣＣ）と称する。作動時間は、いつ設定情報が有効となる、または、有効であるべきかを指定する。一般には、制御情報は、移動局１６によってダウンロードされ、その作動時間に実施される。作動時間までは、移動局１６は、前記制御情報の以前のバージョンを使用することとなる。
【００４７】
１つの構成では、移動局１６は、現在有効であるカレント制御情報ならびに将来の指定された作動時間に有効になる新しい制御情報を、制御システム３２のメモリ４４内に保存することができる。図３に示されるように、カレント制御情報（ＣＩ（Ａ））は、第１のＳＣＣＣ（ＳＣＣＣ（Ａ））を有し、新しい制御情報（ＣＩ（Ｂ））は、第１のＳＣＣＣとは異なる第２のＳＣＣＣ（ＳＣＣＣ（Ｂ））を有する。周期的にかつ頻繁に、基地局１４は、有効なカレント制御情報を識別するためのカレントＳＣＣＣだけでなく、新しい制御情報（カレント制御情報とは異なる）が基地局１４によって提供されているかどうかを示すためのシステム設定変更アラート（ＳＣＣＡ）フラグを送信することができる。さらに、前記新しい制御情報は、一般的には、将来起こるようにスケジュールされる制御情報である。たとえば、対応するスーパー・フレーム設定制御（タイプ２）情報内のスーパー・フレーム毎に、前記ＳＣＣＣおよびＳＣＣＡフラグを提供することができる。
【００４８】
基地局１４によって提供されているカレントＳＣＣＣ値を検出することによって、移動局１６は、有効で現在使用中でなければならないカレント制御情報を認識する。移動局１６がカレント制御情報を既に受信および保存していると仮定すると、移動局１６は、新しい制御情報がダウンロードされ、新しい制御情報へ切り換えるための作動時間が生じるまで、カレント制御情報を使用することになる。作動時間が生じると、新しい制御情報は、カレント制御情報になる。移動局１６が、使用されている制御情報とは異なる制御情報に対応する基地局１４によって提供されているＳＣＣＣ値を検出する場合には、移動局１６は、そのような制御情報がメモリ４４において利用可能な場合に適当な制御情報に切り換えたり、あるいは、基地局１４へのアップリンク送信を中止し、基地局１４からのダウンリンク送信から適当な制御情報をデコードしようと試みたりする。適当な制御情報が回復されると、移動局１６は、基地局１４へのアップリンク送信を再開する。
【００４９】
前記ＳＣＣＡフラグを監視することによって、移動局１６は、基地局１４が、最終的にはカレント制御情報の代わりに使用されることになる新しい制御情報をブロード・キャストしているかどうかを判定することができる。前記の新しい制御情報がブロード・キャストされていることをＳＣＣＡフラグが示す場合は、前記の新しい制御情報が正常にデコードされ、メモリ４４に保存されるまで、移動局１６は、対象の制御情報を含む複数のカレント・サブフレームおよび後続の複数のサブフレーム内のブロードキャスト・メッセージをデコードしようとする。
【００５０】
アクティブ・モードまたは通常モードで動作しているときには、移動局１６は、電力を節約する取り組みをサポートするために、以下のように動作することができる。以下の動作は、移動局１６が、基地局１４によって現在提供されているカレントＳＣＣＣに対応するカレント制御情報を使用していると仮定する。ＳＣＣＡフラグが、ブロード・キャストされている新しい制御情報が１つもないことを示す場合には、移動局１６は、基地局１４によって提供されている対応する制御情報をデコードする必要はない。ＳＣＣＡフラグが、新しい制御情報がブロード・キャストされていることを示す場合には、および、移動局１６が新しいＳＣＣＣに関連する新しい制御情報を予め正常にデコードしている場合には、移動局１６は、基地局１４によって提供されている新しい制御情報をデコードする必要はない。したがって、前記の新しい制御情報を含むある複数の特定のサブフレームまたはその一部をデコードする必要はない。新しい制御情報がブロード・キャストされていることをＳＣＣＡフラグが示す場合には、および、移動局１６が新しいＳＣＣＣに関連する新しい制御情報を予め正常にデコードしていない場合には、移動局１６は、基地局１４によって提供されている新しい制御情報をデコードしなければならない。そのようなデコードは、システム制御情報セグメント内の所望の制御情報の存在および位置を判定するためにＢＰＣＨをデコードするステップを含むことができる。したがって、前記の新しい制御情報を提供するある特定の複数のサブフレームまたはその一部をデコードしなければならない。
【００５１】
スリープ・モードまたはアイドル・モードで動作しているときは、移動局１６は、電力を節約する努力をサポートするために、以下のように動作することができる。基地局１４は、制御情報を周期的に送信する。移動局１６は、対応する制御情報内に送られているカレントＳＣＣＣおよびＳＣＣＡフラグをデコードするように試みるために、基地局１４によって設定された周期で、起動する。起動時間は、ＳＣＣＣおよびＳＣＣＡフラグが基地局１４によってブロード・キャストされている時間と一致するのが好ましい。
【００５２】
移動局１６が、移動局１６が保存している制御情報に関するＳＣＣＣとブロード・キャストされているＳＣＣＣが異なると検出する場合は、移動局１６は、基地局１４によりブロード・キャストされているＳＣＣＣに対応するカレント制御情報を取得するために、カレント・サブフレーム中に起動し、後続の複数のサブフレーム中に動作状態でいなければならない。そのようにデコードすることは、システム制御情報セグメント内の所望の制御情報の存在および位置を判定するためにＢＰＣＨをデコードすることを伴うことができる。カレント制御情報が取得されると、移動局１６は、カレント制御情報を実施し、アップリンク送信を開始するか、あるいはスリープ・モードまたはアイドル・モードに戻る。
【００５３】
移動局１６が、基地局１４によりブロード・キャストされているＳＣＣＣに基づくカレント制御情報を有し、それを使用していると仮定すると、スリープ・モードまたはアイドル・モード中の電力をさらに節約するために、以下の動作を提供することができる。ＳＣＣＡフラグが、新しい制御情報がブロード・キャストされていることを示す場合には、および、移動局１６が新しいＳＣＣＣと関連する新しい制御情報を予め正常にデコードしていない場合には、移動局１６は、カレント・サブフレーム中に動作状態になり、基地局１４によって提供されている新しい制御情報をデコードが完了するまで、動作状態でいることができる。さらに、そのようなデコードは、システム制御情報セグメント内の所望の制御情報の存在および位置を判定するために、ＢＰＣＨをデコードすることを含むことができる。ＳＣＣＡフラグが、ブロード・キャストされている新しい制御情報が１つもないことを示す場合には、移動局１６は、基地局１４により提供されている対応する制御情報をデコードする必要はなく、また、移動局１６が、後続の複数のサブフレームをデコードすることなく、通常のスリープ・ウィンドウまたはページング利用不可能ウィンドウ内にあると仮定して、スリープ・モードまたはアイドル・モードに戻ることができる。
【００５４】
上記から、制御情報の特性、移動局１６の動作モードなどに応じて、制御情報を分類し、かつ、それを異なる時間に伝達することができる。以下に、移動局１６がネットワークへのエントリを取得できるようにし、したがって、特定の基地局１４がトラフィック通信を開始できるようにするためのいくつかの例を提供する。上述された例示的な分類が使用される。第１の例については、複数のダウンリンク物理レイヤ・フレームまたはサブフレームをデコードするために必須の全システム物理レイヤ情報として規定される実質的に静的なタイプ１情報が、基地局１４の範囲内にある移動局１６による通信を開始するための行動によりトリガされる初期レンジング・イベントに応答して、ブロード・キャストされるものと仮定する。さらに、タイプ１制御情報、タイプ３制御情報およびタイプ４制御情報が存在するかあるいは存在しないかは、ＢＰＣＨによってシグナリングされ、かつ、上述のようにシステム制御情報セグメント内に提供されるものと仮定する。タイプ２情報は、スーパー・フレーム毎に規定された位置にブロード・キャストすることができる。
【００５５】
最初に、移動局１６は、同期チャネルまたは基地局１４によって提供されているプリアンブルと同期する。移動局１６は、利用可能なタイプ２制御情報をデコードし、関連するレンジング領域情報を取得する。レンジング領域情報は、基地局１４によって制御情報として提供され、アップリンク・レンジング手続を実行するときに、移動局１６によって使用されなければならない。したがって、移動局１６は、レンジング領域情報を使用して、アップリンク・レンジング手続を実行する。基地局１４は、移動局１６によってなされるアップリンク・レンジングの試みを検出し、タイプ１制御情報を送信する。移動局１６は、タイプ１制御情報をデコードする。移動局１６は、レンジング手続を継続し、次いで、基地局１４によって移動局１６へユニキャストすることができる任意の利用可能なタイプ３制御情報およびタイプ４制御情報を取得する。タイプ３制御情報およびタイプ４制御情報を、移動局１６へ提供されているダウンリンク物理レイヤ・フレーム上に送信することができる。
【００５６】
第２の例については、実質的に静的なタイプ１情報が、基地局１４の領域内にある複数の移動局１６へ周期的にブロード・キャストされるものと仮定する。さらに、タイプ１制御情報がスーパー・フレーム内の規定されたリソース・ロケーションに提供され、かつ、ＢＰＣＨの使用はタイプ１制御情報について必要ではないものと仮定する。ＢＰＣＨは、タイプ３制御情報およびタイプ４制御情報について使用することができる。タイプ２情報は、スーパー・フレーム毎に規定された位置にブロード・キャストすることができる。
【００５７】
最初に、移動局１６は、同期チャネルおよび基地局１４によって提供されているプリアンブル情報と同期する。同期されると、移動局１６は、好ましくＢＰＣＨを使用して、特定のスーパー・フレームの規定されたリソース・ロケーションからのタイプ１情報をデコードし、次いでタイプ２制御情報をデコードする。ＢＰＣＨが使用される場合、移動局１６は、サブフレームのシステム制御情報セグメント内のタイプ２制御情報の位置をＢＰＣＨに基づいて識別し、次いでそれにしたがってタイプ２制御情報をデコードする。移動局１６は次いで、タイプ２制御情報に提供されたレンジング情報に基づいて、任意のアップリンク・レンジング手続を実行することができる。アップリンク・レンジングが完了すると、移動局１６は、複数のダウンリンク物理レイヤ・サブフレームで基地局１４からユニキャストされているタイプ３制御情報およびタイプ４制御情報を取得することができる。
さらに、上述のようにして、タイプ３制御情報およびタイプ４制御情報をＢＰＣＨの使用を通じて取得することができる。
【００５８】
上記構成のある特定の概念をマルチ・キャリア環境で使用することができる。マルチ・キャリア環境は、複数の移動局１６が、２つ以上の異なるキャリア上で送信される情報を同時に受信できるようにするものである。たとえば、５ＭＨｚ帯域幅能力を有する複数の移動局１６ならびに１０ＭＨｚ帯域幅能力を有する複数の移動局１６を同時にサポートするために、１０ＭＨｚスペクトルを２つの５ＭＨｚキャリアに分離することができる。マルチ・キャリア・モードを有する複数の移動局１６は、５ＭＨｚキャリアと１０ＭＨｚキャリアの両方で同時に情報を受信することができる。すべてのキャリアが、重複して制御情報を搬送する必要があるわけではない。たとえば、全システム情報および全セクタ・システム情報は、すべてのキャリアについて共通である。したがって、使用されているキャリアが１つか複数かにかかわらず、基地局ＩＤが同じままとなるので、すべてのキャリア上で基地局ＩＤを送信する必要はない。複数のキャリアにわたって制御情報を繰り返すことは、オーバーヘッドをほとんど増加させない。したがって、少なくとも２つのキャリア・タイプをプライマリキャリアおよびセカンダリキャリアと定義することができる。プライマリキャリアは、同期チャネル（またはプリアンブル）、すべてのシステム情報、隣接基地局情報、ページング情報、ならびに、上述の制御情報のすべての分類に一般的に対応するリソース割当および制御情報を搬送することができる。したがって、プライマリキャリアを使用して、タイプ１制御情報からタイプ７制御情報までを搬送することができる。
セカンダリキャリアは、セカンダリキャリア上のスーパー・フレームに関連するタイプ２制御情報のようなシステム情報のサブセット、ならびに、タイプ７情報のようなそのキャリア内の各サブフレームのリソース割当および制御情報のみを搬送することができる。またこのタイプのキャリアは、同期チャネル（またはプリアンブル）情報も搬送することができる。構成に関係なく、異なるプライマリキャリアおよびセカンダリキャリアは、同じ制御情報を搬送する必要はない。
【００５９】
一般には、スペクトル内の１つ以上のキャリアを複数のプライマリキャリアとして指定することができ、スペクトル内の１つ以上のキャリアをセカンダリキャリアとして指定することができる。一度に単一のキャリア上で送受信する能力のみを有する複数の移動局１６は、プライマリキャリアに割り当てられる。一度に複数のキャリア上で送受信できる広帯域の複数の移動局１６は、１つ以上のプライマリキャリアならびに１つ以上のセカンダリキャリアに割り当てられる。上述の割当てに基づいて、複数の基地局１４は、複数のプライマリキャリアを介して、タイプ１制御情報からタイプ６制御情報までのようなシステム・ブロードキャスト情報ならびにタイプ７制御情報のようなリソース割当および制御情報を提供することができる。タイプ２制御情報のようなスーパー・フレーム設定情報は、複数のセカンダリキャリアを介して、スーパー・フレーム境界で送信することができる。
このようにして、広帯域の複数の移動局１６は、システム制御情報ならびにリソース割当および制御情報に関する割り当てられた複数のプライマリキャリアを監視し、スーパー・フレーム設定に関する複数のセカンダリキャリアを監視する。
【００６０】
１つまたは複数のキャリアのチャネル品質情報（ＣＱＩ）のようなチャネル情報は、どのようにして基地局１４が移動局１６に指示したかに応じて、キャリアのうちいずれか１つを介してフィードバックすることができる。セカンダリキャリアのＣＱＩをフィードバックするように設定される際に、移動局１６は、それぞれ対応するキャリアと関連するチャネル品質を測定しなければならない。たとえば、プライマリキャリアのＣＱＩは、プライマリキャリアを介して受信されたプリアンブルまたはパイロット・シンボルに基づいて定量化されなければならず、一方、セカンダリキャリアのＣＱＩは、セカンダリキャリアを介して受信されたプリアンブルまたはパイロット・シンボルに基づいて定量化されなければならない。
【００６１】
当業者であれば、本発明の実施形態に対する改良および修正を認識するであろう。すべてのそのような改良および認識は本明細書に開示された概念および添付の特許請求の範囲の概念の範囲内にあるとみなされる。
【００６２】
本明細書の補遺
【表１】
2014033471.tif 000003
【表２】
2014033471.tif 000004
【表３】
2014033471.tif 000005
【表４】
2014033471.tif 000006
【表５】
2014033471.tif 000007
【表６】
2014033471.tif 000008
【表７】
2014033471.tif 000009
【表８】
2014033471.tif 000010
【表９】
2014033471.tif 000011
【表１０】
2014033471.tif 000012
【表１１】
2014033471.tif 000013
【表１２】
2014033471.tif 000014
【表１３】
2014033471.tif 000015
【表１４】
2014033471.tif 000016
【表１５】
2014033471.tif 000017
【表１６】
2014033471.tif 000018
【表１７】
2014033471.tif 000019
【表１８】
2014033471.tif 000020
【表１９】
2014033471.tif 000021
【表２０】
2014033471.tif 000022
【表２１】
2014033471.tif 000023
【表２２】
2014033471.tif 000024
【表２３】
2014033471.tif 000025
【表２４】
2014033471.tif 000026
【表２５】
2014033471.tif 000027
【表２６】
2014033471.tif 000028
【表２７】
2014033471.tif 000029
【表２８】
2014033471.tif 000030
【表２９】
2014033471.tif 000031
【表３０】
2014033471.tif 000032
【表３１】
2014033471.tif 000033
【表３２】
2014033471.tif 000034
【表３３】
2014033471.tif 000035
【表３４】
2014033471.tif 000036
【表３５】
2014033471.tif 000037
【表３６】
2014033471.tif 000038
【表３７】
2014033471.tif 000039
【表３８】
2014033471.tif 000040
【表３９】
2014033471.tif 000041
【表４０】
2014033471.tif 000042
【表４１】
2014033471.tif 000043
【表４２】
2014033471.tif 000044
【表４３】
2014033471.tif 000045
【表４４】
2014033471.tif 000046
【表４５】
2014033471.tif 000047
【表４６】
2014033471.tif 000048
【表４７】
2014033471.tif 000049
【表４８】
2014033471.tif 000050
【表４９】
2014033471.tif 000051
【表５０】
2014033471.tif 000052
【表５１】
2014033471.tif 000053
【表５２】
2014033471.tif 000054
【表５３】
2014033471.tif 000055
【表５４】
2014033471.tif 000056
【表５５】
2014033471.tif 000057
【表５６】
2014033471.tif 000058
【表５７】
2014033471.tif 000059
【表５８】
2014033471.tif 000060
【表５９】
2014033471.tif 000061
【表６０】
2014033471.tif 000062
【表６１】
2014033471.tif 000063
【表６２】
2014033471.tif 000064
【表６３】
2014033471.tif 000065
【表６４】
2014033471.tif 000066
【表６５】
2014033471.tif 000067
【表６６】
2014033471.tif 000068
【表６７】
2014033471.tif 000069
【表６８】
2014033471.tif 000070
【表６９】
2014033471.tif 000071
【表７０】
2014033471.tif 000072
【表７１】
2014033471.tif 000073
【表７２】
2014033471.tif 000074
【表７３】
2014033471.tif 000075
【表７４】
2014033471.tif 000076
【表７５】
2014033471.tif 000077
【表７６】
2014033471.tif 000078
【表７７】
2014033471.tif 000079
【表７８】
2014033471.tif 000080
【表７９】
2014033471.tif 000081
【表８０】
2014033471.tif 000082
【表８１】
2014033471.tif 000083
【表８２】
2014033471.tif 000084
【表８３】
2014033471.tif 000085
【表８４】
2014033471.tif 000086
【表８５】
2014033471.tif 000087
【図１】
2014033471.tif 000088
【図２】
2014033471.tif 000089
【図３】
2014033471.tif 000090
【図４Ａ】
2014033471.tif 000091
【図４Ｂ】
2014033471.tif 000092
【図５Ａ】
2014033471.tif 000093
【図５Ｂ】
2014033471.tif 000094
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
ネットワークにサービスを提供する基地局であって、
・複数の移動局との無線通信を促進するための受信機、送信機およびベースバンド・プロセッサと、
・前記受信機、送信機およびベースバンド・プロセッサに関連する制御システムであって、
・前記複数の移動局のうちの少なくとも１つに対して第１の制御情報を決定し、
・前記第１の制御情報を前記複数の移動局のうちの前記少なくとも１つに送信し、
・前記第１の制御情報が前記複数の移動局のうちの前記少なくとも１つによって使用されるべき場合は、前記複数の移動局のうちの前記少なくとも１つによって前記第１の制御情報が使用されるべきことを示すために前記第１の制御情報に対応する第１のバージョン番号を送信し、
・将来に使用を開始するために前記複数の移動局のうちの前記少なくとも１つに対し第２の制御情報を決定し、
・前記第２の制御情報と、前記第２の制御情報が送信されていることを示す警告フラグとを前記複数の移動局のうちの前記少なくとも１つに送信する
ように構成された制御システムと、
を備える、基地局。
【請求項２】
前記制御システムはさらに、前記複数の移動局のうちの前記少なくとも１つによって前記第２の制御情報が使用されるべきことを示すために前記第２の制御情報に対応する第２バージョン番号を送信するように構成された、請求項１に記載の基地局。
【請求項３】
前記制御システムはさらに、前記複数の移動局のうちの前記少なくとも１つが前記第１の制御情報を使用している状況から前記第２の制御情報を使用している状況に切り替わるべき時に関係する活動時間を、前記第２の制御情報の送信に関連して送信するように構成された、請求項１に記載の基地局。
【請求項４】
基地局によってネットワークにサービスを提供する方法であって、前記基地局は、
・複数の移動局との無線通信を促進するための受信機、送信機およびベースバンド・プロセッサと、
・前記受信機、送信機およびベースバンド・プロセッサに関連する制御システムと、を備え、前記方法は、
・前記複数の移動局のうちの少なくとも１つに対して第１の制御情報を決定し、
・前記第１の制御情報を前記複数の移動局のうちの前記少なくとも１つに送信し、
・前記第１の制御情報が前記複数の移動局のうちの前記少なくとも１つによって使用されるべき場合は、前記複数の移動局のうちの前記少なくとも１つによって前記第１の制御情報が使用されるべきことを示すために前記第１の制御情報に対応する第１のバージョン番号を送信し、
・将来に使用を開始するために前記複数の移動局のうちの前記少なくとも１つに対し第２の制御情報を決定し、
・前記第２の制御情報と、前記第２の制御情報が送信されていることを示す警告フラグとを前記複数の移動局のうちの前記少なくとも１つに送信する、ことを含む方法。
【請求項５】
前記方法はさらに、前記複数の移動局のうちの前記少なくとも１つによって前記第２の制御情報が使用されるべきことを示すために前記第２の制御情報に対応する第２バージョン番号を送信する、ことを含む請求項４に記載の方法。
【請求項６】
前記方法はさらに、前記複数の移動局のうちの前記少なくとも１つが前記第１の制御情報を使用している状況から前記第２の制御情報を使用している状況に切り替わるべき時に関係する活動時間を、前記第２の制御情報の送信に関連して送信する、こと含む請求項４に記載の方法。
【請求項７】
プログラムが記録されたコンピュータ読み取り可能な記録媒体であって、前記プログラムは、ネットワークにサービスを提供する基地局で使用されるものであって、前記基地局は、
・複数の移動局との無線通信を促進するための受信機、送信機およびベースバンド・プロセッサと、
・前記受信機、送信機およびベースバンド・プロセッサに関連する制御システムと、を備え、前記プログラムは、
・前記複数の移動局のうちの少なくとも１つに対して第１の制御情報を決定し、
・前記第１の制御情報を前記複数の移動局のうちの前記少なくとも１つに送信し、
・前記第１の制御情報が前記複数の移動局のうちの前記少なくとも１つによって使用されるべき場合は、前記複数の移動局のうちの前記少なくとも１つによって前記第１の制御情報が使用されるべきことを示すために前記第１の制御情報に対応する第１のバージョン番号を送信し、
・将来に使用を開始するために前記複数の移動局のうちの前記少なくとも１つに対し第２の制御情報を決定し、
・前記第２の制御情報と、前記第２の制御情報が送信されていることを示す警告フラグとを前記複数の移動局のうちの前記少なくとも１つに送信する、
ことを実現するためのプログラムである、コンピュータ読み取り可能な記録媒体。
【請求項８】
前記プログラムはさらに、前記複数の移動局のうちの前記少なくとも１つによって前記第２の制御情報が使用されるべきことを示すために前記第２の制御情報に対応する第２バージョン番号を送信する、処理を含む、請求項７に記載のコンピュータ読み取り可能な記録媒体。
【請求項９】
前記プログラムはさらに、前記複数の移動局のうちの前記少なくとも１つが前記第１の制御情報を使用している状況から前記第２の制御情報を使用している状況に切り替わるべき時に関係する活動時間を、前記第２の制御情報の送信に関連して送信する、処理を含む、請求項７に記載のコンピュータ読み取り可能な記録媒体。